(57)【要約】【課題】冷房排熱が需要蓄熱量を満たさない場合でも、不足分を安価に補うことができる冷房排熱利用システムを提供する。【解決手段】空調装置としてのエアコンディショナーの屋内機３のヒートポンプ装置８からの冷房排熱を利用して、給湯装置の貯湯槽６内に蓄熱することが可能な冷房排熱利用システムであって、記憶部１０ａに記憶した翌日の予測生活パターンデータに基づいて、翌日の所定時刻までの蓄熱に必要な需要蓄熱量（ｘ）を予測算出し、記憶部１０ａに記憶した翌日の気象条件予報データ及び予測生活パターンデータに基づいて、冷房排熱を利用して貯湯槽６内に蓄熱可能な排熱蓄熱量（ｙ）を演算部１０ｂにより予測算出し、制御部１０ｃにより、需要蓄熱量（ｘ）よりも不足する不足蓄熱量（ｘ−ｙ）を、当日から翌日にかけての深夜電力時間帯の電力によって貯湯槽６内に蓄熱する構成とされている。【選択図】図６
2016145698.tif 000002
【特許請求の範囲】
【請求項１】
ヒートポンプ式の空調装置と、蓄熱槽を有する給湯装置とを備えた建物において、前記空調装置のヒートポンプ装置からの冷房排熱を利用して、前記蓄熱槽内に蓄熱することが可能な冷房排熱利用システムであって、
記憶部に記憶した翌日の予測生活パターンデータに基づいて、翌日の所定時刻までの蓄熱に必要な需要蓄熱量（ｘ）を予測算出し、
前記記憶部に記憶した翌日の気象条件予報データ及び前記予測生活パターンデータに基づいて、冷房排熱を利用して前記蓄熱槽内に蓄熱可能な排熱蓄熱量（ｙ）を演算部により予測算出し、
制御部により、少なくとも、前記需要蓄熱量（ｘ）よりも不足する不足蓄熱量（ｘ−ｙ）を、当日から翌日にかけての深夜電力時間帯の電力によって前記蓄熱槽内に蓄熱することを特徴とする冷房排熱利用システム。
【請求項２】
ヒートポンプ式の空調装置と、蓄熱槽を有する給湯装置と、太陽光発電装置とを備えた建物において、前記空調装置のヒートポンプ装置からの冷房排熱を利用して、前記蓄熱槽内に蓄熱することが可能な冷房排熱利用システムであって、
記憶部に記憶した翌日の予測生活パターンデータに基づいて、翌日の所定時刻までの蓄熱に必要な需要蓄熱量（ｘ）を予測算出し、
前記記憶部に記憶した翌日の気象条件予報データ及び前記予測生活パターンデータに基づいて、冷房排熱を利用して前記蓄熱槽内に蓄熱可能な排熱蓄熱量（ｙ１）、及び前記太陽光発電装置により発電される余剰電力を利用して前記蓄熱槽内に蓄熱可能な余剰電力蓄熱量（ｙ２）を演算部により予測算出し、
制御部により、少なくとも、前記需要蓄熱量（ｘ）よりも不足する不足蓄熱量（ｘ−ｙ１−ｙ２）を、当日から翌日にかけての深夜電力時間帯の電力によって前記蓄熱槽内に蓄熱することを特徴とする冷房排熱利用システム。
【請求項３】
ヒートポンプ式の空調装置と、蓄熱槽を有する給湯装置と、太陽熱集熱装置とを備えた建物において、前記空調装置のヒートポンプ装置からの冷房排熱を利用して、前記蓄熱槽内に蓄熱することが可能な冷房排熱利用システムであって、
記憶部に記憶した翌日の予測生活パターンデータに基づいて、翌日の所定時刻までの蓄熱に必要な需要蓄熱量（ｘ）を予測算出し、
前記記憶部に記憶した翌日の気象条件予報データ及び前記予測生活パターンデータに基づいて、冷房排熱を利用して前記蓄熱槽内に蓄熱可能な排熱蓄熱量（ｙ１）、及び前記太陽熱集熱装置により集熱される太陽熱を利用して前記蓄熱槽内に蓄熱可能な太陽熱蓄熱量（ｙ３）を演算部により予測算出し、
制御部により、少なくとも、前記需要蓄熱量（ｘ）よりも不足する不足蓄熱量（ｘ−ｙ１−ｙ３）を、当日から翌日にかけての深夜電力時間帯の電力によって前記蓄熱槽内に蓄熱することを特徴とする冷房排熱利用システム。
【請求項４】
ヒートポンプ式の空調装置と、蓄熱槽を有する給湯装置と、太陽光発電装置と、太陽熱集熱装置とを備えた建物において、前記空調装置のヒートポンプ装置からの冷房排熱を利用して、前記蓄熱槽内に蓄熱することが可能な冷房排熱利用システムであって、
記憶部に記憶した翌日の予測生活パターンデータに基づいて、翌日の所定時刻までの蓄熱に必要な需要蓄熱量（ｘ）を予測算出し、
前記記憶部に記憶した翌日の気象条件予報データ及び前記予測生活パターンデータに基づいて、冷房排熱を利用して前記蓄熱槽内に蓄熱可能な排熱蓄熱量（ｙ１）、前記太陽光発電装置により発電される余剰電力を利用して前記蓄熱槽内に蓄熱可能な余剰電力蓄熱量（ｙ２）、及び前記太陽熱集熱装置により集熱される太陽熱を利用して前記蓄熱槽内に蓄熱可能な太陽熱蓄熱量（ｙ３）を演算部により予測算出し、
制御部により、少なくとも、前記需要蓄熱量（ｘ）よりも不足する不足蓄熱量（ｘ−ｙ１−ｙ２−ｙ３）を、当日から翌日にかけての深夜電力時間帯の電力によって前記蓄熱槽内に蓄熱することを特徴とする冷房排熱利用システム。
【請求項５】
前記空調装置の前記ヒートポンプ装置は、前記給湯装置のヒートポンプ装置も兼ねたマルチ型のヒートポンプ装置であることを特徴とする請求項１乃至４のいずれか１項に記載の冷房排熱利用システム。
【請求項６】
前記記憶部に記憶する前記予測生活パターンデータは、入力手段により予め入力したものであることを特徴とする請求項１乃至５のいずれか１項に記載の冷房排熱利用システム。
【請求項７】
前記気象条件予報データには、気象条件予報機関から自動的に受信したものを用いることを特徴とする請求項１乃至６のいずれか１項に記載の冷房排熱利用システム。
【請求項８】
前記ヒートポンプ装置と、前記蓄熱槽とは、前記建物内又は前記建物に隣接して設けられた１つの収納部内に収納されていることを特徴とする請求項１乃至７のいずれか１項に記載の冷房排熱利用システム。
【請求項９】
前記収納部内は、前記ヒートポンプ装置と、前記蓄熱槽とが個別に収納可能なように仕切材で区画されていることを特徴とする請求項８に記載の冷房排熱利用システム。
【請求項１０】
前記ヒートポンプ装置と、前記蓄熱槽とは、前記収納部に予め収納されてユニット化されていることを特徴とする請求項８又は９に記載の冷房排熱利用システム。
【請求項１１】
ヒートポンプ式の空調装置と、蓄熱槽を有する給湯装置とを備えた建物において、前記空調装置のヒートポンプ装置からの冷房排熱を利用して、前記蓄熱槽内に蓄熱することが可能な冷房排熱利用方法であって、
翌日の予測生活パターンデータに基づいて、翌日の所定時刻までの蓄熱に必要な需要蓄熱量（ｘ）を予測算出する工程と、
翌日の気象条件予報データ及び前記予測生活パターンデータに基づいて、冷房排熱を利用して前記蓄熱槽内に蓄熱可能な排熱蓄熱量（ｙ）を予測算出する工程と、
少なくとも、前記需要蓄熱量（ｘ）よりも不足する不足蓄熱量（ｘ−ｙ）を、当日から翌日にかけての深夜電力時間帯の電力によって前記蓄熱槽内に蓄熱する工程とから成ることを特徴とする冷房排熱利用方法。
【請求項１２】
ヒートポンプ式の空調装置と、蓄熱槽を有する給湯装置と、太陽光発電装置とを備えた建物において、前記空調装置のヒートポンプ装置からの冷房排熱を利用して、前記蓄熱槽内に蓄熱することが可能な冷房排熱利用方法であって、
翌日の予測生活パターンデータに基づいて、翌日の所定時刻までの蓄熱に必要な需要蓄熱量（ｘ）を予測算出する工程と、
翌日の気象条件予報データ及び前記予測生活パターンデータに基づいて、冷房排熱を利用して前記蓄熱槽内に蓄熱可能な排熱蓄熱量（ｙ１）、及び前記太陽光発電装置により発電される余剰電力を利用して前記蓄熱槽内に蓄熱可能な余剰電力蓄熱量（ｙ２）を予測算出する工程と、
少なくとも、前記需要蓄熱量（ｘ）よりも不足する不足蓄熱量（ｘ−ｙ１−ｙ２）を、当日から翌日にかけての深夜電力時間帯の電力によって前記蓄熱槽内に蓄熱する工程とから成ることを特徴とする冷房排熱利用方法。
【請求項１３】
ヒートポンプ式の空調装置と、蓄熱槽を有する給湯装置と、太陽熱集熱装置とを備えた建物において、前記空調装置のヒートポンプ装置からの冷房排熱を利用して、前記蓄熱槽内に蓄熱することが可能な冷房排熱利用方法であって、
翌日の予測生活パターンデータに基づいて、翌日の所定時刻までの蓄熱に必要な需要蓄熱量（ｘ）を予測算出する工程と、
翌日の気象条件予報データ及び前記予測生活パターンデータに基づいて、冷房排熱を利用して前記蓄熱槽内に蓄熱可能な排熱蓄熱量（ｙ１）、及び前記太陽熱集熱装置により集熱される太陽熱を利用して前記蓄熱槽内に蓄熱可能な太陽熱蓄熱量（ｙ３）を予測算出する工程と、
少なくとも、前記需要蓄熱量（ｘ）よりも不足する不足蓄熱量（ｘ−ｙ１−ｙ３）を、当日から翌日にかけての深夜電力時間帯の電力によって前記蓄熱槽内に蓄熱する工程とから成ることを特徴とする冷房排熱利用方法。
【請求項１４】
ヒートポンプ式の空調装置と、蓄熱槽を有する給湯装置と、太陽光発電装置と、太陽熱集熱装置とを備えた建物において、前記空調装置のヒートポンプ装置からの冷房排熱を利用して、前記蓄熱槽内に蓄熱することが可能な冷房排熱利用方法であって、
翌日の予測生活パターンデータに基づいて、翌日の所定時刻までの蓄熱に必要な需要蓄熱量（ｘ）を予測算出する工程と、
翌日の気象条件予報データ及び前記予測生活パターンデータに基づいて、冷房排熱を利用して前記蓄熱槽内に蓄熱可能な排熱蓄熱量（ｙ１）、前記太陽光発電装置により発電される余剰電力を利用して前記蓄熱槽内に蓄熱可能な余剰電力蓄熱量（ｙ２）、及び前記太陽熱集熱装置により集熱される太陽熱を利用して前記蓄熱槽内に蓄熱可能な太陽熱蓄熱量（ｙ３）を予測算出する工程と、
少なくとも、前記需要蓄熱量（ｘ）よりも不足する不足蓄熱量（ｘ−ｙ１−ｙ２−ｙ３）を、当日から翌日にかけての深夜電力時間帯の電力によって前記蓄熱槽内に蓄熱する工程とから成ることを特徴とする冷房排熱利用方法。
【発明の詳細な説明】
【技術分野】
【０００１】
本発明は、ヒートポンプ式の空調装置と、蓄熱槽を有する給湯装置とを備えた建物において、空調装置のヒートポンプ装置からの冷房排熱を利用して、蓄熱槽内に蓄熱することが可能な冷房排熱利用システム及び冷房排熱利用方法に関するものである。
【背景技術】
【０００２】
従来から、ヒートポンプ式の空調装置と、蓄熱槽を有する給湯装置とを備えた建物において、空調装置のヒートポンプ装置からの冷房排熱を利用して、蓄熱槽内に蓄熱することが可能な冷房排熱利用システムは知られている（例えば、特許文献１等を参照）。
【先行技術文献】
【特許文献】
【０００３】
【特許文献１】特開２０１４−１６０６７号公報
【発明の概要】
【発明が解決しようとする課題】
【０００４】
しかしながら、特許文献１をはじめとして、従来の冷房排熱利用システムにおいては、特に比較的涼しく、冷房運転が少ない日などは、冷房排熱だけでは、需要蓄熱量を満たせない場合がある。
【０００５】
この場合、その不足した蓄熱量を、不足が発覚してから補おうとすると、夕方から夜にかけての電力価格が高い時間帯の電力を使ってしまうこととなり、電気代が高くなってしまっていた。
【０００６】
そこで、本発明は、冷房排熱が需要蓄熱量を満たさない場合でも、不足分を安価に補うことができる冷房排熱利用システム及び冷房排熱利用方法を提供することを目的としている。
【課題を解決するための手段】
【０００７】
前記目的を達成するために、本発明の第１の冷房排熱利用システムは、ヒートポンプ式の空調装置と、蓄熱槽を有する給湯装置とを備えた建物において、前記空調装置のヒートポンプ装置からの冷房排熱を利用して、前記蓄熱槽内に蓄熱することが可能な冷房排熱利用システムであって、記憶部に記憶した翌日の予測生活パターンデータに基づいて、翌日の所定時刻までの蓄熱に必要な需要蓄熱量（ｘ）を予測算出し、前記記憶部に記憶した翌日の気象条件予報データ及び前記予測生活パターンデータに基づいて、冷房排熱を利用して前記蓄熱槽内に蓄熱可能な排熱蓄熱量（ｙ）を演算部により予測算出し、制御部により、少なくとも、前記需要蓄熱量（ｘ）よりも不足する不足蓄熱量（ｘ−ｙ）を、当日から翌日にかけての深夜電力時間帯の電力によって前記蓄熱槽内に蓄熱することを特徴とする。
【０００８】
本発明の第２の冷房排熱利用システムは、ヒートポンプ式の空調装置と、蓄熱槽を有する給湯装置と、太陽光発電装置とを備えた建物において、前記空調装置のヒートポンプ装置からの冷房排熱を利用して、前記蓄熱槽内に蓄熱することが可能な冷房排熱利用システムであって、記憶部に記憶した翌日の予測生活パターンデータに基づいて、翌日の所定時刻までの蓄熱に必要な需要蓄熱量（ｘ）を予測算出し、前記記憶部に記憶した翌日の気象条件予報データ及び前記予測生活パターンデータに基づいて、冷房排熱を利用して前記蓄熱槽内に蓄熱可能な排熱蓄熱量（ｙ１）、及び前記太陽光発電装置により発電される余剰電力を利用して前記蓄熱槽内に蓄熱可能な余剰電力蓄熱量（ｙ２）を演算部により予測算出し、制御部により、少なくとも、前記需要蓄熱量（ｘ）よりも不足する不足蓄熱量（ｘ−ｙ１−ｙ２）を、当日から翌日にかけての深夜電力時間帯の電力によって前記蓄熱槽内に蓄熱することを特徴とする。
【０００９】
本発明の第３の冷房排熱利用システムは、ヒートポンプ式の空調装置と、蓄熱槽を有する給湯装置と、太陽熱集熱装置とを備えた建物において、前記空調装置のヒートポンプ装置からの冷房排熱を利用して、前記蓄熱槽内に蓄熱することが可能な冷房排熱利用システムであって、記憶部に記憶した翌日の予測生活パターンデータに基づいて、翌日の所定時刻までの蓄熱に必要な需要蓄熱量（ｘ）を予測算出し、前記記憶部に記憶した翌日の気象条件予報データ及び前記予測生活パターンデータに基づいて、冷房排熱を利用して前記蓄熱槽内に蓄熱可能な排熱蓄熱量（ｙ１）、及び前記太陽熱集熱装置により集熱される太陽熱を利用して前記蓄熱槽内に蓄熱可能な太陽熱蓄熱量（ｙ３）を演算部により予測算出し、制御部により、少なくとも、前記需要蓄熱量（ｘ）よりも不足する不足蓄熱量（ｘ−ｙ１−ｙ３）を、当日から翌日にかけての深夜電力時間帯の電力によって前記蓄熱槽内に蓄熱することを特徴とする。
【００１０】
本発明の第４の冷房排熱利用システムは、ヒートポンプ式の空調装置と、蓄熱槽を有する給湯装置と、太陽光発電装置と、太陽熱集熱装置とを備えた建物において、前記空調装置のヒートポンプ装置からの冷房排熱を利用して、前記蓄熱槽内に蓄熱することが可能な冷房排熱利用システムであって、記憶部に記憶した翌日の予測生活パターンデータに基づいて、翌日の所定時刻までの蓄熱に必要な需要蓄熱量（ｘ）を予測算出し、前記記憶部に記憶した翌日の気象条件予報データ及び前記予測生活パターンデータに基づいて、冷房排熱を利用して前記蓄熱槽内に蓄熱可能な排熱蓄熱量（ｙ１）、前記太陽光発電装置により発電される余剰電力を利用して前記蓄熱槽内に蓄熱可能な余剰電力蓄熱量（ｙ２）、及び前記太陽熱集熱装置により集熱される太陽熱を利用して前記蓄熱槽内に蓄熱可能な太陽熱蓄熱量（ｙ３）を演算部により予測算出し、制御部により、少なくとも、前記需要蓄熱量（ｘ）よりも不足する不足蓄熱量（ｘ−ｙ１−ｙ２−ｙ３）を、当日から翌日にかけての深夜電力時間帯の電力によって前記蓄熱槽内に蓄熱することを特徴とする。
【００１１】
ここで、前記空調装置の前記ヒートポンプ装置は、前記給湯装置のヒートポンプ装置も兼ねたマルチ型のヒートポンプ装置であるとよい。
【００１２】
また、前記記憶部に記憶する前記予測生活パターンデータは、入力手段により予め入力したものであるとよい。
【００１３】
さらに、前記気象条件予報データには、気象条件予報機関から自動的に受信したものを用いるとよい。
【００１４】
また、前記ヒートポンプ装置と、前記蓄熱槽とは、前記建物内又は前記建物に隣接して設けられた１つの収納部内に収納されているとよい。
【００１５】
さらに、前記収納部内は、前記ヒートポンプ装置と、前記蓄熱槽とが個別に収納可能なように仕切材で区画されているとよい。
【００１６】
また、前記ヒートポンプ装置と、前記蓄熱槽とは、前記収納部に予め収納されてユニット化されているとよい。
【００１７】
本発明の第１の冷房排熱利用方法は、ヒートポンプ式の空調装置と、蓄熱槽を有する給湯装置とを備えた建物において、前記空調装置のヒートポンプ装置からの冷房排熱を利用して、前記蓄熱槽内に蓄熱することが可能な冷房排熱利用方法であって、翌日の予測生活パターンデータに基づいて、翌日の所定時刻までの蓄熱に必要な需要蓄熱量（ｘ）を予測算出する工程と、翌日の気象条件予報データ及び前記予測生活パターンデータに基づいて、冷房排熱を利用して前記蓄熱槽内に蓄熱可能な排熱蓄熱量（ｙ）を予測算出する工程と、少なくとも、前記需要蓄熱量（ｘ）よりも不足する不足蓄熱量（ｘ−ｙ）を、当日から翌日にかけての深夜電力時間帯の電力によって前記蓄熱槽内に蓄熱する工程とから成ることを特徴とする。
【００１８】
本発明の第２の冷房排熱利用方法は、ヒートポンプ式の空調装置と、蓄熱槽を有する給湯装置と、太陽光発電装置とを備えた建物において、前記空調装置のヒートポンプ装置からの冷房排熱を利用して、前記蓄熱槽内に蓄熱することが可能な冷房排熱利用方法であって、翌日の予測生活パターンデータに基づいて、翌日の所定時刻までの蓄熱に必要な需要蓄熱量（ｘ）を予測算出する工程と、翌日の気象条件予報データ及び前記予測生活パターンデータに基づいて、冷房排熱を利用して前記蓄熱槽内に蓄熱可能な排熱蓄熱量（ｙ１）、及び前記太陽光発電装置により発電される余剰電力を利用して前記蓄熱槽内に蓄熱可能な余剰電力蓄熱量（ｙ２）を予測算出する工程と、少なくとも、前記需要蓄熱量（ｘ）よりも不足する不足蓄熱量（ｘ−ｙ１−ｙ２）を、当日から翌日にかけての深夜電力時間帯の電力によって前記蓄熱槽内に蓄熱する工程とから成ることを特徴とする。
【００１９】
本発明の第３の冷房排熱利用方法は、ヒートポンプ式の空調装置と、蓄熱槽を有する給湯装置と、太陽熱集熱装置とを備えた建物において、前記空調装置のヒートポンプ装置からの冷房排熱を利用して、前記蓄熱槽内に蓄熱することが可能な冷房排熱利用方法であって、翌日の予測生活パターンデータに基づいて、翌日の所定時刻までの蓄熱に必要な需要蓄熱量（ｘ）を予測算出する工程と、翌日の気象条件予報データ及び前記予測生活パターンデータに基づいて、冷房排熱を利用して前記蓄熱槽内に蓄熱可能な排熱蓄熱量（ｙ１）、及び前記太陽熱集熱装置により集熱される太陽熱を利用して前記蓄熱槽内に蓄熱可能な太陽熱蓄熱量（ｙ３）を予測算出する工程と、少なくとも、前記需要蓄熱量（ｘ）よりも不足する不足蓄熱量（ｘ−ｙ１−ｙ３）を、当日から翌日にかけての深夜電力時間帯の電力によって前記蓄熱槽内に蓄熱する工程とから成ることを特徴とする。
【００２０】
本発明の第４の冷房排熱利用方法は、ヒートポンプ式の空調装置と、蓄熱槽を有する給湯装置と、太陽光発電装置と、太陽熱集熱装置とを備えた建物において、前記空調装置のヒートポンプ装置からの冷房排熱を利用して、前記蓄熱槽内に蓄熱することが可能な冷房排熱利用方法であって、翌日の予測生活パターンデータに基づいて、翌日の所定時刻までの蓄熱に必要な需要蓄熱量（ｘ）を予測算出する工程と、翌日の気象条件予報データ及び前記予測生活パターンデータに基づいて、冷房排熱を利用して前記蓄熱槽内に蓄熱可能な排熱蓄熱量（ｙ１）、前記太陽光発電装置により発電される余剰電力を利用して前記蓄熱槽内に蓄熱可能な余剰電力蓄熱量（ｙ２）、及び前記太陽熱集熱装置により集熱される太陽熱を利用して前記蓄熱槽内に蓄熱可能な太陽熱蓄熱量（ｙ３）を予測算出する工程と、少なくとも、前記需要蓄熱量（ｘ）よりも不足する不足蓄熱量（ｘ−ｙ１−ｙ２−ｙ３）を、当日から翌日にかけての深夜電力時間帯の電力によって前記蓄熱槽内に蓄熱する工程とから成ることを特徴とする。
【発明の効果】
【００２１】
このような本発明の第１の冷房排熱利用システムは、ヒートポンプ式の空調装置と、蓄熱槽を有する給湯装置とを備えた建物において、空調装置のヒートポンプ装置からの冷房排熱を利用して、蓄熱槽内に蓄熱することが可能な冷房排熱利用システムである。
【００２２】
そして、記憶部に記憶した翌日の予測生活パターンデータに基づいて、翌日の所定時刻までの蓄熱に必要な需要蓄熱量（ｘ）を予測算出し、記憶部に記憶した翌日の気象条件予報データ及び予測生活パターンデータに基づいて、冷房排熱を利用して蓄熱槽内に蓄熱可能な排熱蓄熱量（ｙ）を演算部により予測算出し、制御部により、少なくとも、需要蓄熱量（ｘ）よりも不足する不足蓄熱量（ｘ−ｙ）を、当日から翌日にかけての深夜電力時間帯の電力によって蓄熱槽内に蓄熱する構成とされている。
【００２３】
上記した構成なので、翌日の所定時刻までの蓄熱に必要な需要蓄熱量（ｘ）の不足蓄熱量（ｘ−ｙ）を、当日から翌日にかけての深夜電力時間帯の電力によってまかなうため、特に比較的涼しく、冷房運転が少ない日など冷房排熱が需要蓄熱量を満たさない場合でも、不足分を安価に補うことができる。
【００２４】
このような本発明の第２の冷房排熱利用システムは、ヒートポンプ式の空調装置と、蓄熱槽を有する給湯装置と、太陽光発電装置とを備えた建物において、空調装置のヒートポンプ装置からの冷房排熱を利用して、蓄熱槽内に蓄熱することが可能な冷房排熱利用システムである。
【００２５】
そして、記憶部に記憶した翌日の予測生活パターンデータに基づいて、翌日の所定時刻までの蓄熱に必要な需要蓄熱量（ｘ）を予測算出し、記憶部に記憶した翌日の気象条件予報データ及び予測生活パターンデータに基づいて、冷房排熱を利用して蓄熱槽内に蓄熱可能な排熱蓄熱量（ｙ１）、及び太陽光発電装置により発電される余剰電力を利用して蓄熱槽内に蓄熱可能な余剰電力蓄熱量（ｙ２）を演算部により予測算出し、制御部により、少なくとも、需要蓄熱量（ｘ）よりも不足する不足蓄熱量（ｘ−ｙ１−ｙ２）を、当日から翌日にかけての深夜電力時間帯の電力によって蓄熱槽内に蓄熱する構成とされている。
【００２６】
上記した構成なので、翌日の所定時刻までの蓄熱に必要な需要蓄熱量（ｘ）の不足蓄熱量（ｘ−ｙ１−ｙ２）を、当日から翌日にかけての深夜電力時間帯の電力によってまかなうため、特に比較的涼しく、冷房運転が少ない日など冷房排熱が需要蓄熱量を満たさない場合でも、不足分を安価に補うことができるし、更には売電制度が廃止されたり、買電価格より売電価格が低くなったりしたときなどには、太陽光発電装置により発電される余剰電力を有効利用することもできる。
【００２７】
このような本発明の第３の冷房排熱利用システムは、ヒートポンプ式の空調装置と、蓄熱槽を有する給湯装置と、太陽熱集熱装置とを備えた建物において、空調装置のヒートポンプ装置からの冷房排熱を利用して、蓄熱槽内に蓄熱することが可能な冷房排熱利用システムである。
【００２８】
そして、記憶部に記憶した翌日の予測生活パターンデータに基づいて、翌日の所定時刻までの蓄熱に必要な需要蓄熱量（ｘ）を予測算出し、記憶部に記憶した翌日の気象条件予報データ及び予測生活パターンデータに基づいて、冷房排熱を利用して蓄熱槽内に蓄熱可能な排熱蓄熱量（ｙ１）、及び太陽熱集熱装置により集熱される太陽熱を利用して蓄熱槽内に蓄熱可能な太陽熱蓄熱量（ｙ３）を演算部により予測算出し、制御部により、少なくとも、需要蓄熱量（ｘ）よりも不足する不足蓄熱量（ｘ−ｙ１−ｙ３）を、当日から翌日にかけての深夜電力時間帯の電力によって前記蓄熱槽内に蓄熱する構成とされている。
【００２９】
上記した構成なので、翌日の所定時刻までの蓄熱に必要な需要蓄熱量（ｘ）の不足蓄熱量（ｘ−ｙ１−ｙ３）を、当日から翌日にかけての深夜電力時間帯の電力によってまかなうため、特に比較的涼しく、冷房運転が少ない日など冷房排熱が需要蓄熱量を満たさない場合でも、不足分を安価に補うことができるし、更には太陽熱集熱装置により集熱される太陽熱を有効利用することができる。
【００３０】
このような本発明の第４の冷房排熱利用システムは、ヒートポンプ式の空調装置と、蓄熱槽を有する給湯装置と、太陽光発電装置と、太陽熱集熱装置とを備えた建物において、空調装置のヒートポンプ装置からの冷房排熱を利用して、蓄熱槽内に蓄熱することが可能な冷房排熱利用システムである。
【００３１】
そして、記憶部に記憶した翌日の予測生活パターンデータに基づいて、翌日の所定時刻までの蓄熱に必要な需要蓄熱量（ｘ）を予測算出し、記憶部に記憶した翌日の気象条件予報データ及び予測生活パターンデータに基づいて、冷房排熱を利用して蓄熱槽内に蓄熱可能な排熱蓄熱量（ｙ１）、太陽光発電装置により発電される余剰電力を利用して蓄熱槽内に蓄熱可能な余剰電力蓄熱量（ｙ２）、及び太陽熱集熱装置により集熱される太陽熱を利用して蓄熱槽内に蓄熱可能な太陽熱蓄熱量（ｙ３）を演算部により予測算出し、制御部により、少なくとも、需要蓄熱量（ｘ）よりも不足する不足蓄熱量（ｘ−ｙ１−ｙ２−ｙ３）を、当日から翌日にかけての深夜電力時間帯の電力によって蓄熱槽内に蓄熱する構成とされている。
【００３２】
上記した構成なので、翌日の所定時刻までの蓄熱に必要な需要蓄熱量（ｘ）の不足蓄熱量（ｘ−ｙ１−ｙ２−ｙ３）を、当日から翌日にかけての深夜電力時間帯の電力によってまかなうため、特に比較的涼しく、冷房運転が少ない日など冷房排熱が需要蓄熱量を満たさない場合でも、不足分を安価に補うことができるし、更には売電制度が廃止されたり、買電価格より売電価格が低くなったりしたときなどには、太陽光発電装置により発電される余剰電力を有効利用することもでき、太陽熱集熱装置により集熱される太陽熱も有効利用することができる。
【００３３】
ここで、空調装置のヒートポンプ装置は、給湯装置のヒートポンプ装置も兼ねたマルチ型のヒートポンプ装置である場合は、給湯装置専用のヒートポンプ装置を別途設ける必要がなく、その分、収納スペースを小さくすることができる。
【００３４】
また、記憶部に記憶する予測生活パターンデータは、入力手段により予め入力したものである場合は、予測生活パターンデータを入力した期間中は何もしなくてよいので、煩わしさがない。
【００３５】
さらに、気象条件予報データには、気象条件予報機関から自動的に受信したものを用いる場合は、気象庁等の気象条件予報機関から信頼性の高い気象条件予報データを自動的に受信して用いることができる。
【００３６】
また、ヒートポンプ装置と、蓄熱槽とは、建物内又は建物に隣接して設けられた１つの収納部内に収納されている場合は、ヒートポンプ装置と蓄熱槽とを１つの収納部内に収納するので、建物の美観を高めることができる。
【００３７】
さらに、収納部内は、ヒートポンプ装置と、蓄熱槽とが個別に収納可能なように仕切材で区画されている場合は、仕切材が、ヒートポンプ装置と蓄熱槽との間の緩衝材の役目を果たし、大きな地震等が起きても、両者間が緩衝することがない。
【００３８】
また、ヒートポンプ装置と、蓄熱槽とは、収納部に予め収納されてユニット化されている場合は、現場で収納部内にヒートポンプ装置と蓄熱槽を収納する収納作業を省略することができる。
【００３９】
このような本発明の第１の冷房排熱利用方法は、ヒートポンプ式の空調装置と、蓄熱槽を有する給湯装置とを備えた建物において、空調装置のヒートポンプ装置からの冷房排熱を利用して、蓄熱槽内に蓄熱することが可能な冷房排熱利用方法である。
【００４０】
そして、翌日の予測生活パターンデータに基づいて、翌日の所定時刻までの蓄熱に必要な需要蓄熱量（ｘ）を予測算出する工程と、翌日の気象条件予報データ及び予測生活パターンデータに基づいて、冷房排熱を利用して蓄熱槽内に蓄熱可能な排熱蓄熱量（ｙ）を予測算出する工程と、少なくとも、需要蓄熱量（ｘ）よりも不足する不足蓄熱量（ｘ−ｙ）を、当日から翌日にかけての深夜電力時間帯の電力によって蓄熱槽内に蓄熱する工程とから成る構成とされている。
【００４１】
上記した構成なので、翌日の所定時刻までの蓄熱に必要な需要蓄熱量（ｘ）の不足蓄熱量（ｘ−ｙ）を、当日から翌日にかけての深夜電力時間帯の電力によってまかなうため、特に比較的涼しく、冷房運転が少ない日など冷房排熱が需要蓄熱量を満たさない場合でも、不足分を安価に補うことができる。
【００４２】
このような本発明の第２の冷房排熱利用方法は、ヒートポンプ式の空調装置と、蓄熱槽を有する給湯装置と、太陽光発電装置とを備えた建物において、空調装置のヒートポンプ装置からの冷房排熱を利用して、蓄熱槽内に蓄熱することが可能な冷房排熱利用方法である。
【００４３】
そして、翌日の予測生活パターンデータに基づいて、翌日の所定時刻までの蓄熱に必要な需要蓄熱量（ｘ）を予測算出する工程と、翌日の気象条件予報データ及び予測生活パターンデータに基づいて、冷房排熱を利用して蓄熱槽内に蓄熱可能な排熱蓄熱量（ｙ１）、及び太陽光発電装置により発電される余剰電力を利用して蓄熱槽内に蓄熱可能な余剰電力蓄熱量（ｙ２）を予測算出する工程と、少なくとも、需要蓄熱量（ｘ）よりも不足する不足蓄熱量（ｘ−ｙ１−ｙ２）を、当日から翌日にかけての深夜電力時間帯の電力によって蓄熱槽内に蓄熱する工程とから成る構成とされている。
【００４４】
上記した構成なので、翌日の所定時刻までの蓄熱に必要な需要蓄熱量（ｘ）の不足蓄熱量（ｘ−ｙ１−ｙ２）を、当日から翌日にかけての深夜電力時間帯の電力によってまかなうため、特に比較的涼しく、冷房運転が少ない日など冷房排熱が需要蓄熱量を満たさない場合でも、不足分を安価に補うことができるし、更には売電制度が廃止されたり、買電価格より売電価格が低くなったりしたときなどには、太陽光発電装置により発電される余剰電力を有効利用することもできる。
【００４５】
このような本発明の第３の冷房排熱利用方法は、ヒートポンプ式の空調装置と、蓄熱槽を有する給湯装置と、太陽熱集熱装置とを備えた建物において、空調装置のヒートポンプ装置からの冷房排熱を利用して、蓄熱槽内に蓄熱することが可能な冷房排熱利用方法である。
【００４６】
そして、翌日の予測生活パターンデータに基づいて、翌日の所定時刻までの蓄熱に必要な需要蓄熱量（ｘ）を予測算出する工程と、翌日の気象条件予報データ及び予測生活パターンデータに基づいて、冷房排熱を利用して蓄熱槽内に蓄熱可能な排熱蓄熱量（ｙ１）、及び太陽熱集熱装置により集熱される太陽熱を利用して蓄熱槽内に蓄熱可能な太陽熱蓄熱量（ｙ３）を予測算出する工程と、少なくとも、需要蓄熱量（ｘ）よりも不足する不足蓄熱量（ｘ−ｙ１−ｙ３）を、当日から翌日にかけての深夜電力時間帯の電力によって前記蓄熱槽内に蓄熱する工程とから成る構成とされている。
【００４７】
上記した構成なので、翌日の所定時刻までの蓄熱に必要な需要蓄熱量（ｘ）の不足蓄熱量（ｘ−ｙ１−ｙ３）を、当日から翌日にかけての深夜電力時間帯の電力によってまかなうため、特に比較的涼しく、冷房運転が少ない日など冷房排熱が需要蓄熱量を満たさない場合でも、不足分を安価に補うことができるし、更には太陽熱集熱装置により集熱される太陽熱を有効利用することができる。
【００４８】
このような本発明の第４の冷房排熱利用方法は、ヒートポンプ式の空調装置と、蓄熱槽を有する給湯装置と、太陽光発電装置と、太陽熱集熱装置とを備えた建物において、空調装置のヒートポンプ装置からの冷房排熱を利用して、蓄熱槽内に蓄熱することが可能な冷房排熱利用方法である。
【００４９】
そして、翌日の予測生活パターンデータに基づいて、翌日の所定時刻までの蓄熱に必要な需要蓄熱量（ｘ）を予測算出する工程と、翌日の気象条件予報データ及び予測生活パターンデータに基づいて、冷房排熱を利用して蓄熱槽内に蓄熱可能な排熱蓄熱量（ｙ１）、太陽光発電装置により発電される余剰電力を利用して蓄熱槽内に蓄熱可能な余剰電力蓄熱量（ｙ２）、及び太陽熱集熱装置により集熱される太陽熱を利用して蓄熱槽内に蓄熱可能な太陽熱蓄熱量（ｙ３）を予測算出する工程と、少なくとも、需要蓄熱量（ｘ）よりも不足する不足蓄熱量（ｘ−ｙ１−ｙ２−ｙ３）を、当日から翌日にかけての深夜電力時間帯の電力によって前記蓄熱槽内に蓄熱する工程とから成る構成とされている。
【００５０】
上記した構成なので、翌日の所定時刻までの蓄熱に必要な需要蓄熱量（ｘ）の不足蓄熱量（ｘ−ｙ１−ｙ２−ｙ３）を、当日から翌日にかけての深夜電力時間帯の電力によってまかなうため、特に比較的涼しく、冷房運転が少ない日など冷房排熱が需要蓄熱量を満たさない場合でも、不足分を安価に補うことができるし、更には売電制度が廃止されたり、買電価格より売電価格が低くなったりしたときなどには、太陽光発電装置により発電される余剰電力を有効利用することもでき、太陽熱集熱装置により集熱される太陽熱も有効利用することができる。
【図面の簡単な説明】
【００５１】
【図１】実施例１の冷房排熱利用システムを備えた建物の概略構成を示す説明図である。
【図２】実施例１の冷房排熱利用システムの収納部としての収納庫の概略構成を示す説明図である。
【図３】エアコンディショナーの屋内機で冷房運転のみ行う時の制御を説明するための説明図である。
【図４】エアコンディショナーの屋内機で冷房運転を行うとともに、その排気を利用して貯湯槽内で湯も沸かして蓄熱する時の制御を説明するための説明図である。
【図５】実施例１の冷房排熱利用システムの概略構成を示すブロック図である。
【図６】実施例１の冷房排熱利用システムにおいて、当日から翌日にかけての給湯装置の蓄熱槽としての貯湯槽内の蓄熱量を時系列で示した説明図である。
【図７】実施例２の冷房排熱利用システムにおいて、当日から翌日にかけての給湯装置の蓄熱槽としての貯湯槽内の蓄熱量を時系列で示した説明図である。
【図８】実施例３の冷房排熱利用システムを備えた建物の概略構成を示す説明図である。
【図９】実施例３の冷房排熱利用システムにおいて、当日から翌日にかけての給湯装置の蓄熱槽としての貯湯槽内の蓄熱量を時系列で示した説明図である。
【図１０】実施例４の冷房排熱利用システムを備えた建物の概略構成を示す説明図である。
【図１１】実施例４の冷房排熱利用システムにおいて、当日から翌日にかけての給湯装置の蓄熱槽としての貯湯槽内の蓄熱量を時系列で示した説明図である。
【発明を実施するための形態】
【００５２】
以下、本発明を実施するための形態を、図面に示す実施例１〜４に基づいて説明する。
【実施例１】
【００５３】
先ず、実施例１の全体構成について説明する。
【００５４】
図１は、実施例１の冷房排熱利用システム１０を備えた建物１の概略構成を示している。
【００５５】
まず、この建物１は、建物本体１Ａの内部が、床部１１により、床上空間２１と床下空間２２とに区画されている。
【００５６】
そして、床下空間２２内には、空調装置としてのヒートポンプ式のエアコンディショナーの屋内機３が設置されている。
【００５７】
また、床部１１には、給気口１１ａと排気口１１ｂとが設けられており、エアコンディショナーの屋内機３の吹出部と給気口１１ａとの間がダクト３１で接続され、エアコンディショナーの屋内機３の吸込部と排気口１１ｂとの間がダクト３２で接続されて、床上空間２１に冷気又は暖気を吹き出す即効性を有する冷暖房が可能とされている。
【００５８】
さらに、エアコンディショナーの屋内機３には、床下吹出部３３が設けられており、この床下吹出部３３から暖気を吹き出すことにより、床上空間２１を床下空間２２側からムラなく暖める床下床暖房も可能とされている。
【００５９】
また、建物１の屋上には、太陽光発電装置４，・・・が設けられている。
【００６０】
そして、建物１に隣接して、収納部としての収納庫５が設けられている。
【００６１】
この収納庫５の内部は、図２に示したように、中間部が垂直な仕切材５１で左右に仕切られ、左側はさらに、水平な仕切材５２，５３で上段、中段、下段に仕切られている。
【００６２】
そして、右側の収納部５Ａには、給湯装置の蓄熱槽としての貯湯槽６が収納されている。
【００６３】
また、左側下段の収納部５Ｂには、蓄電池７が収納されている。
【００６４】
さらに、左側中段の収納部５Ｃには、ヒートポンプ装置８が収納されている。
【００６５】
ここで、このヒートポンプ装置８は、マルチ型のヒートポンプ装置であり、貯湯槽６と、熱媒循環管路としての往路管８１ａ及び復路管８１ｂにより接続されているとともに、エアコンディショナーの屋内機３とも、熱媒循環管路としての往路管８２ａ及び復路管８２ｂにより接続されている。
【００６６】
さらに具体的には、ヒートポンプ装置８内には、２つの熱交換器８ａ，８ｂと、圧縮機８ｃと、膨張弁８ｄとが有り、エアコンディショナーの屋内機３で冷房運転のみ行う時は、図３に示したように、屋外空気と熱交換を行う熱交換器８ａを使って、熱媒循環管路としての往路管８２ａ及び復路管８２ｂ内に熱媒を循環させ、エアコンディショナーの屋内機３内の熱交換器３ａから冷気を吹き出す制御をする。
【００６７】
なお、この場合、熱気を帯びた暖気である排気は、熱交換器８ａから直接屋外へ排気される。
【００６８】
一方で、エアコンディショナーの屋内機３で冷房運転を行うとともに、その排気を利用して貯湯槽６内で湯も沸かして蓄熱する時は、図４に示したように、熱交換器８ｂのみを使って、熱媒循環管路としての往路管８２ａ及び復路管８２ｂ、往路管８３ａ及び復路管８３ｂ内に熱媒を循環させ、エアコンディショナーの屋内機３内の熱交換器３ａから冷気を吹き出す制御をするとともに、熱気を帯びた暖気である排気は、熱交換器８ｂで熱交換を行って、熱媒循環管路としての往路管８１ａ及び復路管８１ｂ内に熱媒を循環させ、貯湯槽６内で湯を沸かす制御もする。
【００６９】
また、左側上段の収納部５Ｄには、パワーコンディショナー９が収納されている。
【００７０】
ここで、このパワーコンディショナー９は、マルチ型のパワーコンディショナーであり、電力会社等の系統電力だけでなく、太陽光発電装置４，・・・からの自家発電電力にも接続されている。
【００７１】
また、このパワーコンディショナー９と、貯湯槽６、蓄電池７及びヒートポンプ装置８とは、図示省略の配線で接続されており、これらの邪魔となる仕切材５１，５２，５３には、図示省略の孔が設けられている。
【００７２】
さらに、ヒートポンプ装置８の上側面には、図示省略の排気口が設けられており、この排気口から吹き出される排気の通りが阻害されないように、仕切材５３のこの排気口の上側の部分には、切欠５３ａが設けられている。
【００７３】
また、貯湯槽６、蓄電池７、ヒートポンプ装置８及びパワーコンディショナー９は、収納部としての収納庫５内に工場等で予め収納されてユニット化されている。
【００７４】
次に、実施例１の冷房排熱利用システム１０について説明する。
【００７５】
図５は、実施例１の冷房排熱利用システム１０の概略構成を示している。
【００７６】
この実施例１の冷房排熱利用システム１０は、記憶部１０ａと、演算部１０ｂと、制御部１０ｃとを備えている。
【００７７】
そして、制御部１０ｃは、ヒートポンプ装置８に接続されている。
【００７８】
また、記憶部１０ａは、パーソナルコンピュータ等の入力手段としての入力装置１０ｄに接続され、この入力装置１０ｄから翌日の予測生活パターンデータを入力可能とされている。
【００７９】
さらに、記憶部１０ａは、インターネット等の外部通信網Ｎを介して、気象庁等の気象条件予報機関のサーバ１００とも接続されており、翌日の気象条件予報データを自動的に受信可能とされている。
【００８０】
この実施例１の冷房排熱利用システム１０を用いた実施例１の冷房排熱利用方法について、以下、図６を参照しながら説明する。
【００８１】
なお、図６は、当日から翌日にかけての給湯装置の蓄熱槽としての貯湯槽６内の蓄熱量を時系列で示している。
【００８２】
まず、記憶部１０ａに記憶した翌日の予測生活パターンデータに基づいて、翌日の所定時刻（ここでは１７時）までの蓄熱に必要な需要蓄熱量（ｘ）を演算部１０ｂで予測算出する。
【００８３】
ここで、予測生活パターンデータは、パーソナルコンピュータ等の入力装置１０ｄにより記憶部１０ａに予め入力しておく。
【００８４】
続いて、記憶部１０ａに記憶した翌日の気象条件予報データ及び予測生活パターンデータに基づいて、冷房排熱を利用して蓄熱槽としての貯湯槽６内に蓄熱可能な排熱蓄熱量（ｙ）を演算部１０ｂにより予測算出する。
【００８５】
ここで、気象条件予報データは、気象庁等の気象条件予報機関のサーバ１００から予め自動的に受信して、記憶部１０ａに予め入力しておく。
【００８６】
最後に、制御部１０ｃにより、少なくとも、需要蓄熱量（ｘ）よりも不足する不足蓄熱量（ｘ−ｙ）を、当日から翌日にかけての深夜電力時間帯（ここでは、当日の２３時から翌日の７時までの時間）の電力によって蓄熱槽としての貯湯槽６内に湯を沸かして蓄熱する。
【００８７】
これにより、翌日の所定時刻（ここでは１７時）までの蓄熱に必要な需要蓄熱量（ｘ）の不足蓄熱量（ｘ−ｙ）を、当日から翌日にかけての深夜電力時間帯（ここでは、当日の２３時から翌日の７時までの時間）の電力によってまかなうため、その分安価に、給湯装置の蓄熱槽としての貯湯槽６内で湯を沸かして蓄熱をし、その湯を風呂の湯や炊事洗濯の湯等に用いることができる。
【００８８】
次に、実施例１の作用効果について説明する。
【００８９】
このような実施例１の冷房排熱利用システム１０は、ヒートポンプ式の空調装置としてのエアコンディショナーの屋内機３と、蓄熱槽としての貯湯槽６を有する給湯装置とを備えた建物１において、エアコンディショナーの屋内機３のヒートポンプ装置８からの冷房排熱を利用して、蓄熱槽としての貯湯槽６内に湯を沸かして蓄熱することが可能な冷房排熱利用システムである。
【００９０】
そして、記憶部１０ａに記憶した翌日の予測生活パターンデータに基づいて、翌日の所定時刻までの蓄熱に必要な需要蓄熱量（ｘ）を予測算出し、記憶部１０ａに記憶した翌日の気象条件予報データ及び予測生活パターンデータに基づいて、冷房排熱を利用して蓄熱槽としての貯湯槽６内に蓄熱可能な排熱蓄熱量（ｙ）を演算部１０ｂにより予測算出し、制御部１０ｃにより、少なくとも、需要蓄熱量（ｘ）よりも不足する不足蓄熱量（ｘ−ｙ）を、当日から翌日にかけての深夜電力時間帯の電力によって貯湯槽６内に蓄熱する構成とされている。
【００９１】
上記した構成なので、翌日の所定時刻までの蓄熱に必要な需要蓄熱量（ｘ）の不足蓄熱量（ｘ−ｙ）を、当日から翌日にかけての深夜電力時間帯の電力によってまかなうため、特に比較的涼しく、冷房運転が少ない日など冷房排熱が需要蓄熱量（ｘ）を満たさない場合でも、不足分を安価に補うことができる。
【００９２】
ここで、空調装置としてのエアコンディショナーの屋内機３のヒートポンプ装置８は、貯湯槽６を有する給湯装置のヒートポンプ装置も兼ねたマルチ型のヒートポンプ装置である。
【００９３】
このため、給湯装置専用のヒートポンプ装置を別途設ける必要がなく、その分、収納スペースを小さくすることができる。
【００９４】
また、記憶部１０ａに記憶する予測生活パターンデータは、パーソナルコンピュータ等の入力手段としての入力装置１０ｄにより予め入力したものである。
【００９５】
このため、予測生活パターンデータを入力した期間中は何もしなくてよいので、煩わしさがない。
【００９６】
さらに、気象条件予報データには、気象条件予報機関のサーバ１００から自動的に受信したものを用いる。
【００９７】
このため、気象庁等の気象条件予報機関から信頼性の高い気象条件予報データを自動的に受信して用いることができる。
【００９８】
また、ヒートポンプ装置８と、蓄熱槽としての貯湯槽６とは、建物に隣接して設けられた１つの収納部としての収納庫５内に収納されている。
【００９９】
このため、ヒートポンプ装置８と貯湯槽６とを１つの収納部としての収納庫５内に収納するので、建物１の美観を高めることができる。
【０１００】
さらに、収納部としての収納庫５内は、ヒートポンプ装置８と、蓄熱槽としての貯湯槽６とが個別に収納可能なように仕切材５１で区画されている。
【０１０１】
このため、仕切材５１が、ヒートポンプ装置８と貯湯槽６との間の緩衝材の役目を果たし、大きな地震等が起きても、両者間が緩衝することがない。
【０１０２】
また、ヒートポンプ装置８と、蓄熱槽としての貯湯槽６とは、収納部としての収納庫５に予め収納されてユニット化されている。
【０１０３】
このため、現場で収納庫５内にヒートポンプ装置８と貯湯槽６を収納する収納作業を省略することができる。
【０１０４】
このような実施例１の冷房排熱利用方法は、ヒートポンプ式の空調装置としてのエアコンディショナーの屋内機３と、蓄熱槽としての貯湯槽６を有する給湯装置とを備えた建物１において、エアコンディショナーの屋内機３のヒートポンプ装置８からの冷房排熱を利用して、貯湯槽６内に蓄熱することが可能な冷房排熱利用方法である。
【０１０５】
そして、翌日の予測生活パターンデータに基づいて、翌日の所定時刻までの蓄熱に必要な需要蓄熱量（ｘ）を予測算出する工程と、翌日の気象条件予報データ及び予測生活パターンデータに基づいて、冷房排熱を利用して蓄熱槽内に蓄熱可能な排熱蓄熱量（ｙ）を予測算出する工程と、少なくとも、需要蓄熱量（ｘ）よりも不足する不足蓄熱量（ｘ−ｙ）を、当日から翌日にかけての深夜電力時間帯の電力によって蓄熱槽としての貯湯槽６内に蓄熱する工程とから成る構成とされている。
【０１０６】
上記した構成なので、翌日の所定時刻までの蓄熱に必要な需要蓄熱量（ｘ）の不足蓄熱量（ｘ−ｙ）を、当日から翌日にかけての深夜電力時間帯の電力によってまかなうため、特に比較的涼しく、冷房運転が少ない日など冷房排熱が需要蓄熱量（ｘ）を満たさない場合でも、不足分を安価に補うことができる。
【実施例２】
【０１０７】
次に、実施例２について説明する。
【０１０８】
なお、実施例１で説明した内容と同一乃至均等な部分の説明については同一符号を付して説明する。
【０１０９】
この実施例２の冷房排熱利用システム１０は、実施例１の冷房排熱利用システム１０と構成は略同様であるが、太陽光発電装置４，・・・により発電される翌日の余剰電力を予測算出し、利用することが、実施例１の冷房排熱利用システム１０と主に異なる。
【０１１０】
この実施例２の冷房排熱利用システム１０を用いた実施例２の冷房排熱利用方法について、以下、図７を参照しながら説明する。
【０１１１】
なお、図７は、当日から翌日にかけての給湯装置の蓄熱槽としての貯湯槽６内の蓄熱量を時系列で示している。
【０１１２】
まず、記憶部１０ａに記憶した翌日の予測生活パターンデータに基づいて、翌日の所定時刻（ここでは１７時）までの蓄熱に必要な需要蓄熱量（ｘ）を演算部１０ｂで予測算出する。
【０１１３】
ここで、予測生活パターンデータは、パーソナルコンピュータ等の入力装置１０ｄにより記憶部１０ａに予め入力しておく。
【０１１４】
続いて、記憶部１０ａに記憶した翌日の気象条件予報データ及び予測生活パターンデータに基づいて、冷房排熱を利用して蓄熱槽としての貯湯槽６内に蓄熱可能な排熱蓄熱量（ｙ１）、及び太陽光発電装置４，・・・により発電される電力のうち自家消費もされない余剰電力を利用してヒートポンプ装置８を運転し、蓄熱槽としての貯湯槽６内に蓄熱可能な余剰電力蓄熱量（ｙ２）を演算部１０ｂにより予測算出する。
【０１１５】
ここで、気象条件予報データは、気象庁等の気象条件予報機関のサーバ１００から予め自動的に受信して、記憶部１０ａに予め入力しておく。
【０１１６】
最後に、制御部１０ｃにより、少なくとも、需要蓄熱量（ｘ）よりも不足する不足蓄熱量（ｘ−ｙ１−ｙ２）を、当日から翌日にかけての深夜電力時間帯（ここでは、当日の２３時から翌日の７時までの時間）の電力によって蓄熱槽としての貯湯槽６内に湯を沸かして蓄熱する。
【０１１７】
これにより、翌日の所定時刻（ここでは１７時）までの蓄熱に必要な需要蓄熱量（ｘ）の不足蓄熱量（ｘ−ｙ１−ｙ２）を、当日から翌日にかけての深夜電力時間帯（ここでは、当日の２３時から翌日の７時までの時間）の電力によってまかなうため、その分安価に、給湯装置の蓄熱槽としての貯湯槽６内で湯を沸かして蓄熱をし、その湯を風呂の湯や炊事洗濯の湯等に用いることができる。
【０１１８】
特に、売電制度が廃止されたり、買電価格より売電価格が低くなったりしたときなどには、太陽光発電装置４，・・・により発電される余剰電力を有効利用することもできることが、実施例１の作用効果と異なる。
【０１１９】
なお、他の構成及び作用効果については、実施例１と略同様であるので説明を省略する。
【実施例３】
【０１２０】
次に、実施例３について説明する。
【０１２１】
なお、実施例１で説明した内容と同一乃至均等な部分の説明については同一符号を付して説明する。
【０１２２】
この実施例３の冷房排熱利用システム１０は、図８に示したように、太陽光発電装置４，・・・に代えて、貯湯槽６と図示省略の熱媒管で接続された太陽熱集熱装置４１，・・・が設置されており、集熱される太陽熱を予測算出し、利用することが、実施例１の冷房排熱利用システム１０と主に異なる。
【０１２３】
この実施例３の冷房排熱利用システム１０を用いた実施例３の冷房排熱利用方法について、以下、図９を参照しながら説明する。
【０１２４】
なお、図９は、当日から翌日にかけての給湯装置の蓄熱槽としての貯湯槽６内の蓄熱量を時系列で示している。
【０１２５】
まず、記憶部１０ａに記憶した翌日の予測生活パターンデータに基づいて、翌日の所定時刻（ここでは１７時）までの蓄熱に必要な需要蓄熱量（ｘ）を演算部１０ｂで予測算出する。
【０１２６】
ここで、予測生活パターンデータは、パーソナルコンピュータ等の入力装置１０ｄにより記憶部１０ａに予め入力しておく。
【０１２７】
続いて、記憶部１０ａに記憶した翌日の気象条件予報データ及び予測生活パターンデータに基づいて、冷房排熱を利用して蓄熱槽としての貯湯槽６内に蓄熱可能な排熱蓄熱量（ｙ１）、及び太陽熱集熱装置４１，・・・により集熱される太陽熱を利用して、蓄熱槽としての貯湯槽６内に蓄熱可能な太陽熱蓄熱量（ｙ３）を演算部１０ｂにより予測算出する。
【０１２８】
ここで、気象条件予報データは、気象庁等の気象条件予報機関のサーバ１００から予め自動的に受信して、記憶部１０ａに予め入力しておく。
【０１２９】
最後に、制御部１０ｃにより、少なくとも、需要蓄熱量（ｘ）よりも不足する不足蓄熱量（ｘ−ｙ１−ｙ３）を、当日から翌日にかけての深夜電力時間帯（ここでは、当日の２３時から翌日の７時までの時間）の電力によって蓄熱槽としての貯湯槽６内に湯を沸かして蓄熱する。
【０１３０】
これにより、翌日の所定時刻（ここでは１７時）までの蓄熱に必要な需要蓄熱量（ｘ）の不足蓄熱量（ｘ−ｙ１−ｙ３）を、当日から翌日にかけての深夜電力時間帯（ここでは、当日の２３時から翌日の７時までの時間）の電力によってまかなうため、その分安価に、給湯装置の蓄熱槽としての貯湯槽６内で湯を沸かして蓄熱をし、その湯を風呂の湯や炊事洗濯の湯等に用いることができる。
【０１３１】
特に、太陽熱集熱装置４１，・・・により集熱される太陽熱を有効利用することもできることが、実施例１の作用効果と異なる。
【０１３２】
なお、他の構成及び作用効果については、実施例１と略同様であるので説明を省略する。
【実施例４】
【０１３３】
次に、実施例４について説明する。
【０１３４】
なお、実施例１で説明した内容と同一乃至均等な部分の説明については同一符号を付して説明する。
【０１３５】
この実施例４の冷房排熱利用システム１０は、図１０に示したように、太陽光発電装置４，・・・に代えて、太陽光発電装置４と、貯湯槽６と図示省略の熱媒管で接続された太陽熱集熱装置４１とを組み合わせて成る太陽光発電・太陽熱集熱ハイブリッド装置４０，・・・が設置されており、太陽光発電装置４，・・・により発電される翌日の余剰電力と、太陽熱集熱装置４１，・・・により集熱される太陽熱とを予測算出し、利用することが、実施例１の冷房排熱利用システム１０と主に異なる。
【０１３６】
この実施例４の冷房排熱利用システム１０を用いた実施例４の冷房排熱利用方法について、以下、図１１を参照しながら説明する。
【０１３７】
なお、図１１は、当日から翌日にかけての給湯装置の蓄熱槽としての貯湯槽６内の蓄熱量を時系列で示している。
【０１３８】
まず、記憶部１０ａに記憶した翌日の予測生活パターンデータに基づいて、翌日の所定時刻（ここでは１７時）までの蓄熱に必要な需要蓄熱量（ｘ）を演算部１０ｂで予測算出する。
【０１３９】
ここで、予測生活パターンデータは、パーソナルコンピュータ等の入力装置１０ｄにより記憶部１０ａに予め入力しておく。
【０１４０】
続いて、記憶部１０ａに記憶した翌日の気象条件予報データ及び予測生活パターンデータに基づいて、冷房排熱を利用して蓄熱槽としての貯湯槽６内に蓄熱可能な排熱蓄熱量（ｙ１）、太陽光発電装置４，・・・により発電される電力のうち自家消費もされない余剰電力を利用してヒートポンプ装置８を運転し、蓄熱槽としての貯湯槽６内に蓄熱可能な余剰電力蓄熱量（ｙ２）、及び太陽熱集熱装置４１，・・・により集熱される太陽熱を利用して、蓄熱槽としての貯湯槽６内に蓄熱可能な太陽熱蓄熱量（ｙ３）を演算部１０ｂにより予測算出する。
【０１４１】
ここで、気象条件予報データは、気象庁等の気象条件予報機関のサーバ１００から予め自動的に受信して、記憶部１０ａに予め入力しておく。
【０１４２】
最後に、制御部１０ｃにより、少なくとも、需要蓄熱量（ｘ）よりも不足する不足蓄熱量（ｘ−ｙ１−ｙ２−ｙ３）を、当日から翌日にかけての深夜電力時間帯（ここでは、当日の２３時から翌日の７時までの時間）の電力によって蓄熱槽としての貯湯槽６内に湯を沸かして蓄熱する。
【０１４３】
これにより、翌日の所定時刻（ここでは１７時）までの蓄熱に必要な需要蓄熱量（ｘ）の不足蓄熱量（ｘ−ｙ１−ｙ２−ｙ３）を、当日から翌日にかけての深夜電力時間帯（ここでは、当日の２３時から翌日の７時までの時間）の電力によってまかなうため、その分安価に、給湯装置の蓄熱槽としての貯湯槽６内で湯を沸かして蓄熱をし、その湯を風呂の湯や炊事洗濯の湯等に用いることができる。
【０１４４】
特に、売電制度が廃止されたり、買電価格より売電価格が低くなったりしたときなどには、太陽光発電・太陽熱集熱ハイブリッド装置４０の太陽光発電装置４，・・・により発電される余剰電力と、太陽光発電・太陽熱集熱ハイブリッド装置４０の太陽熱集熱装置４１，・・・により集熱される太陽熱を有効利用することもできることが、実施例１の作用効果と異なる。
【０１４５】
なお、他の構成及び作用効果については、実施例１と略同様であるので説明を省略する。
【０１４６】
以上、図面を参照して、本発明を実施するための形態を実施例１〜４に基づいて詳述してきたが、具体的な構成は、これら実施例１〜４に限らず、本発明の要旨を逸脱しない程度の設計的変更は、本発明に含まれる。
【０１４７】
例えば、上記した実施例１〜４では、本発明の冷房排熱利用システムの説明を簡単に行えるように、建物１の構造などを単純化したが、これに限定されず、より複雑な構造で実施してもよい。
【０１４８】
また、上記した実施例１〜４では、収納部としての収納庫５内に、ヒートポンプ装置８と貯湯槽６の他に、蓄電池７とパワーコンディショナー９も収納して実施したが、これに限定されず、蓄電池７とパワーコンディショナー９を収納せずに実施してもよいし、更に多くの建物用設備を収納して実施してもよい。
【０１４９】
さらに、上記した実施例１〜４では、収納部としての収納庫５を建物１に隣接するように設けて実施したが、これに限定されず、建物１内に設けて実施してもよい。
【０１５０】
また、上記した実施例１〜４では、空調装置としてのエアコンディショナーの屋内機３を床下空間２２内に設置して実施したが、これに限定されず、床上空間２１に設置して実施してもよい。
【０１５１】
さらに、上記した実施例１〜４では、需要蓄熱量（ｘ）の指標となる時刻を翌日の１７時としたが、これに限定されず、個々の生活習慣に合わせて設定すればよい。
【符号の説明】
【０１５２】
１      建物
１Ａ    建物本体
１１    床部
１１ａ  給気口
１１ｂ  排気口
２１    床上空間
２２    床下空間
３      エアコンディショナーの屋内機（空調装置）
３ａ    熱交換器
３１    ダクト
３２    ダクト
３３    床下吹出部
４      太陽光発電装置
４１    太陽熱集熱装置
４０    太陽光発電・太陽熱集熱ハイブリッド装置
５      収納庫（収納部）
５１    仕切材
５２    仕切材
５３    仕切材
５３ａ  切欠
５Ａ    収納部
５Ｂ    収納部
５Ｃ    収納部
５Ｄ    収納部
６      給湯装置の貯湯槽（蓄熱槽）
７      蓄電池
８      ヒートポンプ装置
８ａ    熱交換器
８ｂ    熱交換器
８ｃ    圧縮機
８ｄ    膨張弁
８１ａ  往路管（熱媒循環管路）
８１ｂ  復路管（熱媒循環管路）
８２ａ  往路管（熱媒循環管路）
８２ｂ  復路管（熱媒循環管路）
８３ａ  往路管（熱媒循環管路）
８３ｂ  復路管（熱媒循環管路）
９      パワーコンディショナー
１０    冷房排熱利用システム
１０ａ  記憶部
１０ｂ  演算部
１０ｃ  制御部
１０ｄ  入力装置（入力手段）
１００  気象条件予報機関のサーバ
Ｎ      外部通信網
【図１】
2016145698.tif 000003
【図２】
2016145698.tif 000004
【図３】
2016145698.tif 000005
【図４】
2016145698.tif 000006
【図５】
2016145698.tif 000007
【図６】
2016145698.tif 000008
【図７】
2016145698.tif 000009
【図８】
2016145698.tif 000010
【図９】
2016145698.tif 000011
【図１０】
2016145698.tif 000012
【図１１】
2016145698.tif 000013